【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
通信装置であって、
前記通信装置と接続を確立している外部装置と無線通信を行う第一の通信手段と、
前記通信装置と接続を確立していない外部装置と無線通信を行う第二の通信手段と、
前記通信装置と接続を確立している第一の外部装置との間で所定のサービスが前記第一の通信手段によって実行されている状態において、前記通信装置と接続が確立されていない第二の外部装置から前記第二の通信手段によって接続要求を受信した場合、前記第一の外部装置との接続を切断し、前記第二の外部装置と接続を確立するように制御する制御手段とを有し、
前記第二の通信手段は、前記第一の通信手段が前記第二の外部装置と無線通信を行うことと並行して、前記所定のサービスに関わる情報を発信する
ことを特徴とする通信装置。
【請求項２】
前記制御手段は、前記第一の通信手段による通信と、前記第二の通信手段による通信とを並行して実行させるよう制御することを特徴とする請求項１に記載の通信装置。
【請求項３】
前記第二の通信手段は、前記第一の通信手段を用いて通信する前記第一の外部装置による前記所定のサービスに関わる制御が実行されている場合、前記通信装置の識別情報を発信することを特徴とする請求項１または２に記載の通信装置。
【請求項４】
前記第一の通信手段は、前記第一の外部装置との接続を切断する場合、前記通信装置との前記所定のサービスに関わる制御を継続するよう、前記第一の外部装置に要求することを特徴とする請求項１から３の何れか１項に記載の通信装置。
【請求項５】
前記第二の通信手段は、前記第一の通信手段が前記第二の外部装置と接続を確立した場合、前記第二の外部装置との接続状態に関わる情報を送信することを特徴とする請求項１から４の何れか１項に記載の通信装置。
【請求項６】
前記制御手段は、前記第二の外部装置との無線通信の接続が切断されたこと検出した場合、前記第一の通信手段によって前記第一の外部装置との無線通信の接続を確立させ、前記所定のサービスに関わる制御を、前記第一の通信手段によって実行されるように制御することを特徴とする請求項１から５の何れか１項に記載の通信装置。
【請求項７】
前記第二の通信手段は、前記第一の通信手段が前記第一の外部装置との無線通信の接続を確立した場合、前記所定のサービスに関わる情報を発信することを停止することを特徴とする請求項６に記載の通信装置。
【請求項８】
前記所定のサービスは、前記第一の外部装置と前記通信装置との間の距離を監視するためのサービスであることを特徴とする請求項１から７の何れか１項に記載の通信装置。
【請求項９】
前記第一の通信手段および前記第二の通信手段はＢｌｕｅｔｏｏｔｈ（登録商標）  Ｌｏｗ  Ｅｎｅｒｇｙに準拠して無線通信することを特徴とする請求項１から８のいずれか１項に記載の通信装置。
【請求項１０】
第二の通信手段は、ブロードキャストによってパケットを送受信することを特徴とする請求項１から９のいずれか１項に記載の通信装置。
【請求項１１】
前記通信装置は、前記第一の通信手段による無線通信ではペリフェラルとして動作する
ことを特徴とする請求項１から１０の何れか１項に記載の通信装置。
【請求項１２】
通信装置であって、
前記通信装置と接続を確立している外部装置と無線通信を行う第一の通信手段と、
前記通信装置と接続を確立していない外部装置と無線通信を行う第二の通信手段と、
接続を確立している第一の外部装置に対して所定のサービスが前記第一の通信手段によって実行されている状態において、前記第一の外部装置との接続が切断された場合、前記第一の外部装置に対する前記所定のサービスに関わる制御を前記第二の通信手段によって実行するように制御する制御手段と
を有することを特徴とする通信装置。
【請求項１３】
前記制御手段は、前記第一の外部装置から前記所定のサービスに関わる制御の継続を要求された後に前記外部装置との通信が切断された場合、前記所定のサービスに関わる制御を継続するよう制御し、
前記制御手段は、前記第一の外部装置から前記所定のサービスに関わる制御の継続を要求されずに前記外部装置との通信が切断された場合、前記所定のサービスに関わる制御を終了するよう制御する
ことを特徴とする請求項１２に記載の通信装置。
【請求項１４】
前記所定のサービスは、前記第一の外部装置との距離を監視するためのサービスであることを特徴とする請求項１２または１３に記載の通信装置。
【請求項１５】
前記第一の外部装置と近接していない場合、前記第一の外部装置と近接していないことをユーザに報知する第一の報知手段をさらに有することを特徴とする請求項１４に記載の通信装置。
【請求項１６】
前記第二の通信手段は、前記第一の外部装置に対して前記所定のサービスに関わる制御を実行している状態において、前記第一の外部装置に接続されている第二の外部装置と前記第一の外部装置との接続状態に関わる情報を前記第一の外部装置から受信することを特徴とする請求項１２から１５の何れか１項に記載の通信装置。
【請求項１７】
前記第一の外部装置と前記第二の外部装置との接続が切断されたことを示す情報を前記第一の外部装置から受信した場合、前記第一の外部装置と前記第二の外部装置とが近接していないことをユーザに報知する第二の報知手段をさらに有することを特徴とする請求項１６に記載の通信装置。
【請求項１８】
前記制御手段は、前記第一の外部装置と前記第二の外部装置との接続が切断された場合、前記第一の通信手段によって前記第一の外部装置と接続を確立するよう制御することを特徴とする請求項１６または１７に記載の通信装置。
【請求項１９】
前記制御手段は、前記第二の通信手段によって前記第一の外部装置に対する前記所定のサービスに関わる制御が実行されている状態において、前記第一の通信手段によって前記第一の外部装置と接続を確立した場合、前記第二の通信手段に代わり、前記第一の外部装置に対する前記所定のサービスに関わる制御前記第一の通信手段によって実行するように制御することを特徴とする請求項１８に記載の通信装置。
【請求項２０】
前記第一の通信手段および前記第二の通信手段はＢｌｕｅｔｏｏｔｈ（登録商標）  Ｌｏｗ  Ｅｎｅｒｇｙに準拠して無線通信することを特徴とする請求項１２から１９のいずれか１項に記載の通信装置。
【請求項２１】
前記第二の通信手段は、ブロードキャストされたパケットを受信することを特徴とする請求項１２から２０のいずれか１項に記載の通信装置。
【請求項２２】
前記第一の通信手段による無線通信ではセントラルとして動作することを特徴とする請求項１２から２１の何れか１項に記載の通信装置。
【請求項２３】
接続を確立している外部装置と無線通信を行う第一の通信ステップと、
接続を確立していない外部装置と無線通信を行う第二の通信ステップと、
接続を確立している第一の外部装置との間で所定のサービスが前記第一の通信ステップにおいて実行されている状態において、接続を確立していない第二の外部装置から接続要求を前記第二の通信ステップにおいて受信した場合、前記第一の外部装置との接続を切断し、前記第二の外部装置との接続を確立するように制御する制御ステップとを有し、
前記第一の通信ステップにおける前記第二の外部装置と無線通信を行う制御と、前記第二の通信ステップにおける前記所定のサービスに関わる情報を発信する制御とは並行して実行される
ことを特徴とする制御方法。
【請求項２４】
接続を確立している外部装置と無線通信を行う第一の通信ステップと、
接続を確立していない外部装置と無線通信を行う第二の通信ステップと、
接続を確立している第一の外部装置に対して所定のサービスに関わる制御が前記第一の通信ステップにおいて実行されている状態において、前記第一の外部装置との接続が切断された場合、前記第一の外部装置に対する前記所定のサービスに関わる制御を前記第二の通信ステップにおいて実行するように制御する制御ステップと
を有することを特徴とする制御方法。
【請求項２５】
コンピュータを請求項１から２２の何れか１項に記載の通信装置の各手段として機能させるための、コンピュータが読み取り可能なプログラム。
【手続補正２】
【補正対象書類名】明細書
【補正対象項目名】発明の名称
【補正方法】変更
【補正の内容】
【発明の名称】通信装置、制御方法、およびプログラム
【手続補正３】
【補正対象書類名】明細書
【補正対象項目名】０００１
【補正方法】変更
【補正の内容】
【０００１】
本発明は、外部装置と無線通信可能な通信装置、制御方法、およびプログラムに関する。
【手続補正４】
【補正対象書類名】明細書
【補正対象項目名】００１０
【補正方法】変更
【補正の内容】
【００１０】
上記課題を解決するために、本発明の通信装置の一つは、前記通信装置と接続を確立している外部装置と無線通信を行う第一の通信手段と、前記通信装置と接続を確立していない外部装置と無線通信を行う第二の通信手段機能と、前記通信装置と接続を確立している第一の外部装置との間で所定のサービスが前記第一の通信手段によって実行されている状態において、前記通信装置と接続が確立されていない第二の外部装置から前記第二の通信手段によって接続要求を受信した場合、前記第一の外部装置との接続を切断し、前記第二の外部装置と接続を確立するように制御する制御手段とを有し、前記第二の通信手段は、前記第一の通信手段が前記第二の外部装置と無線通信を行うことと並行して、前記所定のサービスに関わる情報を発信することを特徴とする。
【手続補正５】
【補正対象書類名】明細書
【補正対象項目名】００１１
【補正方法】変更
【補正の内容】
【００１１】
また、上記課題を解決するために、本発明の通信装置の一つは、前記通信装置と接続を確立している外部装置と無線通信を行う第一の通信手段と、前記通信装置と接続を確立していない外部装置と無線通信を行う第二の通信手段と、接続を確立している第一の外部装置に対して所定のサービスが実行されている状態において、前記第一の外部装置との接続が切断された場合、前記第一の外部装置に対する前記所定のサービスに関わる制御を前記第二の通信手段によって実行するように制御する制御手段とを有することを特徴とする。